(57)【要約】【課題】  湿度に影響されにくく、放電による不快感を伴わず、電子製品等への静電気の悪影響をも防止することができる静電気除去装置および静電気の除去方法を提供する。【解決手段】  水およびイオン導電性化合物を含有するイオン伝導体１１と、イオン伝導体１１が封入され、かつ容器１２の外側とイオン伝導体１１とを導通させる導電性容器１２とを具備する静電気除去装置を用いる。【選択図】        図１
2005332709.tif 000002
【特許請求の範囲】
【請求項１】
水およびイオン導電性化合物を含有するイオン伝導体と、
該イオン伝導体が封入された容器と、
該容器の外側とイオン伝導体とを導通させる導電手段と
を具備することを特徴とする静電気除去装置。
【請求項２】
イオン伝導体が、さらに有機非イオン性化合物を含有することを特徴とする請求項１に記載の静電気除去装置。
【請求項３】
固化剤、ゲル化剤および含浸用固体材料からなる群から選ばれる少なくとも１種が、さらに容器中に封入されていることを特徴とする請求項１または請求項２に記載の静電気除去装置。
【請求項４】
請求項１ないし３のいずれか一項に記載の静電気除去装置と、静電気発生体または静電気蓄積体とを、直接または導体を介して接触または接続させて、静電気を放電除去することを特徴とする静電気の除去方法。
【請求項５】
請求項１ないし３のいずれか一項に記載の静電気除去装置を具備する自動車関連用品。
【請求項６】
請求項１ないし３のいずれか一項に記載の静電気除去装置を具備する装身具。
【発明の詳細な説明】
【技術分野】
【０００１】
本発明は、人体や自動車などの移動体に発生または蓄積した静電気を放電せしめて人体への不快感を防止する静電気除去装置、および、静電気放電による電子製品または電子製品を組み込んだ精密機器類への悪影響を防止するための静電気の除去方法に関する。
【背景技術】
【０００２】
静電気は、衣服と衣服との摩擦、衣服と敷物との摩擦、または衣服とシートとの摩擦によって発生して人体に蓄積される。また、自動車などの移動体においては、走行時に移動体表面と絶縁体である空気との激しい摩擦によって静電気が発生し、移動体に蓄積される。これらの静電気は、空気が乾燥するほど容易に発生し、人体や移動体に蓄積されやすい。このような状態で人体が、移動体の金属部位や、電子製品または電子製品を組み込んだ精密機器類や、建築物などの金属部位などに接触すると、静電気が放電されて不快感を感じるだけでなく、電子製品または電子製品を組み込んだ精密機器類の破損にもつながる。
【０００３】
従来から、このような静電気の放電による障害や悪影響を解消する目的で、さまざまな静電気の除去方法が提案されてきた。例えば、車のドア取っ手に取り付けた金属板と車体の金属部位とを導線で接続し、この取っ手の金属板に手を触れることにより痛みなく人体の静電気を流出する装置が提案されている。（特許文献１参照）また、静電気導電体接触部をＰＮＰ型およびＮＰＮ型トランジスタを介して、プラスとマイナスの電極をもつ電池に接続し、発生する静電気を電池の起電力を利用して放電させる装置が提案されている。（特許文献２参照）さらには、静電気発生を問題とする精密機器の製造工場などで有用な事例として、界面活性剤を基本成分とする帯電防止剤付着部を有したリストバンドを、手首に装着して静電気を除去する方法が提案されている。（特許文献３参照）
【０００４】
従来から提案されている前述の静電気の除去装置および方法では、満足のいく効果が得られていないのが現状である。特許文献１に開示された装置では、取っ手の金属板に触れても車体に直接触れたことと同じことであり、静電気を蓄積した人が降車時に金属板に触れても放電するときの不快感を完全に解消するまでには至っていない。
【０００５】
また、特許文献２に開示された装置では、煩雑な回路を作製する必要があり、電池の起電力を利用していることから電池の起電力が無くなれば効果がなくなるため、電池の交換を必要とする煩雑さがある。
さらには、特許文献３に開示された方法では、空気中への放電効果は湿度に大きく左右されるため、常に確実で安定した放電効果を得ることは困難である。
【０００６】
以上のように、これら上記の装置および方法では、空気中の湿度または電池の起電力の有無によって放電効果に大きなバラツキが見られ、特に冬の乾燥時期には湿度が非常に低いため放電効果が弱く、静電気を蓄積した人体から移動体への放電、または、静電気を蓄積した移動体から人体への放電に伴う不快感、並びに電子製品や電子製品を組み込んだ精密機器類等への悪影響が完全に解消されていないのが現状である。
【特許文献１】特開平９−５８３７８号公報
【特許文献２】特開平８−１８０９９６号公報
【特許文献３】特開平４−２４９８９４号公報
【発明の開示】
【発明が解決しようとする課題】
【０００７】
よって、本発明の目的は、湿度に影響されにくく、放電による不快感を伴わず、電子製品等への静電気の悪影響を防止することができる静電気除去装置および静電気の除去方法を提供することにある。
【課題を解決するための手段】
【０００８】
本発明者らは、上記課題を解決するために鋭意研究を重ねた結果、イオン導電性化合物を含有するイオン伝導体中に静電気を放電する方法が、従来のような半導体やコンデンサ、電池などを組み合わせた複雑な電子回路を必要とせず、さらには空気中に放電する方法とは異なって湿度にも影響されにくく、またこの方法では、人体が金属部分に触れたとき放電による不快感を伴わず、電子製品等への静電気の悪影響をも防止することができることを見出し、この知見に基づき本発明を完成させた。
【０００９】
すなわち、本発明の静電気除去装置は、水およびイオン導電性化合物を含有するイオン伝導体と、該イオン伝導体が封入された容器と、該容器の外側とイオン伝導体とを導通させる導電手段とを具備することを特徴とするものである。
ここで、イオン伝導体は、さらに有機非イオン性化合物を含有することが望ましい。
また、固化剤、ゲル化剤および含浸用固体材料からなる群から選ばれる少なくとも１種が、さらに容器中に封入されていることが望ましい。
【００１０】
また、本発明の静電気の除去方法は、本発明の静電気除去装置と、静電気発生体または静電気蓄積体とを、直接または導体を介して接触または接続させて、静電気を放電除去することを特徴とする。
また、本発明の自動車関連用品は、本発明の静電気除去装置を具備するものである。
また、本発明の装身具は、本発明の静電気除去装置を具備するものである。
【発明の効果】
【００１１】
本発明の静電気除去装置および静電気の除去方法は、イオン導電性化合物を含有するイオン伝導体中に静電気を放電するので、人体や車体などに発生したまたは蓄積した静電気を不快感を伴わずにイオン的に中和し、湿度に影響されることなく確実に放電することができる。
【発明を実施するための最良の形態】
【００１２】
以下、本発明について詳しく説明する。
＜静電気除去装置＞
本発明の静電気除去装置は、水およびイオン導電性化合物を含有するイオン伝導体と、該イオン伝導体が封入された容器と、該容器の外側とイオン伝導体とを導通させる導電手段とを具備するものである。
以下、本発明の静電気除去装置の実施の形態について、図面を参照してさらに詳しく説明する。
【００１３】
［形態例１］
図１は、容器が導電性容器の場合の静電気除去装置の一例を示す斜視図である。
この静電気除去装置１０は、イオン伝導体１１と、イオン伝導体１１が封入された導電性容器１２（容器、導電手段）と、導電性容器１２の蓋部から外方に伸びる導体端子１３とを具備して概略構成されるものである。
【００１４】
ここで、導電性容器１２としては、例えば、金属製容器などが挙げられる。導電性容器１２は、それ自身が導電性を持っているので、イオン伝導体１１を封入する容器としての機能と、容器の外側とイオン伝導体１１とを導通させる導電手段としての機能とを兼ね備えたものとなっている。
導体端子１３としては、例えば、銅線などが挙げられる。
イオン伝導体１１は、少なくとも水およびイオン導電性化合物を含有するものである。
【００１５】
（水、有機非イオン性化合物）
本発明における水は、イオン導電性化合物にイオン伝導性を発現させるためのものである。イオン伝導体１１は、水とともに有機非イオン性化合物を含有していてもよい。
本発明における有機非イオン性化合物とは、水に可溶な有機非イオン性化合物である。有機非イオン性化合物は、導電性媒体としても有用であり、また、低温安定性を維持して水の結晶化やイオン伝導体の析出を防止し、イオン伝導性を安定に発現させる。該有機非イオン性化合物としては、低分子から高分子までの化合物が挙げられる。有機非イオン性化合物の水への溶解度は微溶以上であれば上限は問わない。
有機非イオン性化合物としては、例えば、低級アルコール類、多価アルコール類、エーテル基含有アルコール類、アミノ基含有アルコール類、エーテル類、ケトン類、アミド類、エステル類などが挙げられる。
【００１６】
低級アルコール類としては、メタノール、エタノール、イソプロパノール、ｎ−プロパノールなどが挙げられる。
多価アルコール類としては、エチレングリコール、ジエチレングリコール、プロピレングリコール、ジプロピレングリコール、グリセリン、ジグリセリン、ポリグリセリン、ソルビトール、エリスリトール、グルコース、ショ糖、イノシトール、寒天、キサンタンガム、ヒドロキシエチルセルロース、ポリビニルアルコールなどが挙げられる。
【００１７】
エーテル基含有アルコール類としては、メチルセロソルブ、エチルセロソルブ、プロピルセロソルブ、ブチルセロソルブ、メチルカルビトール、エチルカルビトール、プロピルカルビトール、ブチルカルビトール、ポリオキシエチレングリコール、ポリオキシプロピレングリコール、ポリオキシエチレンアルキルエーテル、プルロニック型非イオン界面活性剤、エチレンオキサイド／プロピレンオキサイドランダム付加型非イオン界面活性剤などが挙げられる。
【００１８】
アミノ基含有アルコール類としては、２−アミノエタノール、ジエタノールアミン、トリエタノールアミン、モノイソプロピルアミン、ジイソプロピルアミン、Ｎ，Ｎ−ジポリオキシエチレン−Ｎ−アルキルアミン、テトロニック型非イオン界面活性剤などが挙げられる。
エーテル類としては、メチルジグライム、エチルジグライムなどのジグライム類、テトラヒドロフラン（ＴＨＦ）、ジオキサン、クラウンエーテルなどが挙げられる。
【００１９】
ケトン類としては、アセトン、アセチルアセトン、メチルエチルケトン、メチルイソブチルケトンなどが挙げられる。
アミド類としては、Ｎ，Ｎ−ジメチルフォルムアミド（ＤＭＦ）、ピロリドン、Ｎ−メチルピロリドン、ポリビニルピロリドン、Ｎ−メチルポリビニルピロリドン、アクリルアミド、ポリアクリルアミド、尿素、脂肪酸ジエタノールアミド、脂肪酸モノエタノールアミド、イプシロンカプロラクタムなどが挙げられる。
【００２０】
エステル類としては、γ−ブチロラクトンなどの環状エステル類、ポリオキシエチレングリコールの脂肪酸エステル類、多価アルコールの脂肪酸エステル類、エステル系非イオン性界面活性剤類などが挙げられる。
これら有機非イオン性化合物は、１種を単独で、または２種以上を組み合わせて使用することができる。また、これら有機非イオン性化合物の中でも特に高分子のものは、配合量を変えることにより、液状、ゲル状、固体状の形態をとることも可能である。
【００２１】
（イオン導電性化合物）
本発明におけるイオン導電性化合物は、イオン性化合物であって、有機イオン性化合物と無機イオン性化合物とがある。
有機イオン性化合物としては、有機アニオン性化合物、有機カチオン性化合物、および有機両性化合物が挙げられる。
有機アニオン性化合物としては、カルボン酸およびその塩類、硫酸エステルおよびその塩類、スルホン酸およびその塩類、リン酸エステルおよびその塩類などが挙げられる。これらの中で、特に高分子のものは配合量を変えることにより、ゲル化剤や固化剤として使用できるものもある。
【００２２】
カルボン酸およびその塩類としては、低分子から高分子までのカルボン酸が挙げられ、低分子のカルボン酸としては、例えば、蟻酸、酢酸、シュウ酸、コハク酸、クエン酸、リンゴ酸、マレイン酸、フマール酸、マロン酸、乳酸、グリコール酸、アジピン酸、ドデカン二酸、オクタン酸、デカン酸、ラウリン酸、ミリスチン酸、パルミチン酸、ステアリン酸、オレイン酸、ベヘニン酸、グルコン酸、安息香酸、パラヒドロキシ安息香酸、サリチル酸、アセチルサリチル酸、フタル酸、テレフタル酸、イソフタル酸、ナフタレンカルボン酸、ナフタレンジカルボン酸、アクリル酸、メタクリル酸などのカルボン酸およびその塩類が挙げられる。中分子や高分子のカルボン酸としては、例えば、アクリル酸の重合物、アクリル酸とそのエステル類との共重合物、メタクリル酸の重合物、メタクリル酸とそのエステル類との共重合物、カルボキシメチルセルロース、カルボキシメチル化された多糖類、多価カルボン酸でアシル化したアミノ多糖類、アルギン酸、ポリグルタミン酸などのカルボン酸およびその塩類が挙げられる。これらの中で、中分子や高分子のカルボン酸およびその塩類は、イオン導電性化合物とゲル化剤との両方の目的で使用することができる。
【００２３】
硫酸エステルおよびその塩類としては、例えば、炭素数１〜２２のアルコールの硫酸エステルおよびその塩類、炭素数１〜２２のアルコールのエチレンオキサイド付加体の硫酸エステルおよびその塩類、炭素数１〜２２のアルコールのプロピレンオキサイド付加体の硫酸エステルおよびその塩類、炭素数１〜２２のアルコールのエチレンオキサイドとプロピレンオキサイド付加体の硫酸エステルおよびその塩類、さらにヒアルロン酸、コンドロイチン硫酸などの天然物高分子が挙げられる。これらの中で、中分子や高分子の硫酸エステル類およびその塩類は、イオン導電性化合物とゲル化剤との両方の目的で使用することができる。
【００２４】
スルホン酸塩としては、例えば、アルキルベンゼンスルホン酸塩、α−オレフィンスルホン酸塩、タウリン、Ｎ−メチルタウリン、スルホコハク酸ジエステル塩などが挙げられる。
リン酸エステル塩類としては、例えば、炭素数１〜２２のアルコールのリン酸エステル塩、炭素数１〜２２のアルコールのエチレンオキサイド付加物のリン酸エステル塩などが挙げられる。
上記の有機酸の対イオンとしては、ナトリウム、カリウム、カルシウム、マグネシウムなどの金属類、アンモニア、モノエタノールアミン、ジエタノールアミン、トリエタノールアミン、モノイソプロパノールアミン、ジイソプロパノールアミンなどの有機アミン類、テトラアルキルアンモニウムなどの第４級アンモニウム類が挙げられる。
【００２５】
有機カチオン性化合物としては、例えば、アルキルアミン、アルキルアミンのエチレンオキサイド付加物、ソロミンＡ型、サパミンＡ型、アーコベルＡ型、イミダゾリン型などのアルキルアミン塩型カチオン活性剤；アルキルトリメチルアンモニウム塩、アルキルジメチルベンジルアンモニウム塩、キャタナックＳＮ（商品名、ＡＣＣ社製）、ニッカノンＲＢ（商品名、日華化学（株）製）、アルキルピリジニウム塩、テトラアルキルアンモニウム塩などの第４級アンモニウム塩型カチオン性化合物；有機カチオン性化合物の高分子型として、例えば、ポリビニルアミン、ポリ（トリメチルアミニオエチル）メタクリレート、ジメチルアミンとエピクロルヒドリンとの重合物、テトラメチルアルキレンジアミンとアルキレンジハライドとの重合物、ヒドロキシエチルキトサンなどが挙げられる。
【００２６】
有機両性化合物としては、アミノ酸型、ベタイン型などのカルボン酸塩型両性界面活性剤、硫酸エステル塩型両性界面活性剤、スルホン酸塩型両性界面活性剤、リン酸エステル塩型両性界面活性剤などが挙げられる。
さらには、有機アニオン性化合物として記載したカルボン酸およびその塩類、硫酸エステルおよびその塩類、スルホン酸およびその塩類、リン酸エステルおよびその塩類などの多価の酸と、有機カチオン性化合物の高分子型などの多価の塩基とから製造される液状、ゲル状、又は固体状の複合塩などが挙げられる。
【００２７】
無機イオン性化合物としては、無機酸および無機酸塩が挙げられる。例えば、塩酸、硫酸、硝酸、リン酸およびその塩類が挙げられる。
無機酸の対イオンとしてはナトリウム、カリウム、カルシウム、マグネシウムなどの金属類、アンモニア、モノエタノールアミン、ジエタノールアミン、トリエタノールアミン、モノイソプロパノールアミン、ジイソプロパノールアミン、グアニジン、ヒドラジン、アルキレンジアミン、ジエチレントリアミンなどの有機アミン類、テトラアルキルアンモニウムなどの第４級アンモニウム塩類が挙げられる。
【００２８】
これらイオン導電性化合物は、１種を単独で、または２種以上を組み合わせて使用することができる。
イオン伝導体中のイオン導電性化合物の含有濃度は、０質量％であっても静電気の放電は起こるが、効率よく放電するには０．００００１質量％以上の濃度であればよく、好ましくは０．００１質量％以上、特に０．０１質量％以上が好ましく、また必要以上に濃度を高める必要もないが、濃度の上限は制限しない。
【００２９】
（固化剤、ゲル化剤、含浸用固体材料）
静電気除去装置１０においては、固化剤、ゲル化剤および含浸用固体材料からなる群から選ばれる少なくとも１種が、さらに導電性容器１２中に封入されていることが好ましい。イオン伝導体１１が液体の場合には、固化剤、ゲル化剤として、吸水性高分子、高分子増粘剤、高分子ゲル化剤またはイオン交換樹脂類などを加えて、イオン伝導体１１を固化またはゲル化し、またはイオン伝導体１１を含浸用固体材料に含浸させることにより、導電性容器１２の破損時の液漏れを防止した静電気除去装置１０が得られる。
【００３０】
ここで、吸水性高分子としては、例えば、生理用品やおむつなどに使用されている高分子吸水剤などが挙げられる。
高分子増粘剤や高分子ゲル化剤としては、例えば、セルロース、デキストラン、アガロース、ヒドロキシエチルセルロース、カラギーナン、キトサン、キサンタンガム、アルギン酸、ヒアルロン酸などの多糖類の誘導体、ゼラチン、ポリグルタミン酸などのポリペプチド類、エチレンーマレイン酸共重合物の誘導体などが挙げられる。
【００３１】
含浸用固体材料としては、例えば、各種繊維のワタ状物、フェルト状物、不織布、織物、編み物など、ウレタンやセルロース繊維などを発泡して製造したスポンジ状物など、吸着剤や濾過剤として使用されている活性炭、珪藻土、シリカゲル（粒状）、アルミナ（粒状）などの多孔質固体が挙げられる。
これらの固化剤、ゲル化剤または含浸用固体材料を加えることにより、発生した静電気をイオン伝導体１１の中に誘導し、イオン的に電荷を中和することができるだけでなく、静電気除去装置１０の破損の際に液の飛散を防止することができる。
【００３２】
［形態例２］
図２は、容器が非導電性容器の場合の静電気除去装置の一例を示す斜視図である。
この静電気除去装置２０は、イオン伝導体２１と、イオン伝導体２１が封入された非導電性容器２２（容器）と、一端が非導電性容器２２の蓋部から外方に伸び、他端が非導電性容器２２の蓋部を貫通してイオン伝導体２１に接触する導体端子２３（導電手段）とを具備して概略構成されるものである。
【００３３】
ここで、イオン伝導体２１としては、形態例１におけるイオン伝導体１１と同じものを用いることができる。
非導電性容器２２としては、例えば、プラスチック製容器などが挙げられる。
導体端子２３としては、例えば、銅線などが挙げられる。
【００３４】
静電気除去装置２０においては、固化剤、ゲル化剤および含浸用固体材料からなる群から選ばれる少なくとも１種が、さらに非導電性容器２２中に封入されていることが好ましい。固化剤、ゲル化剤または含浸用固体材料を加えることにより、発生した静電気をイオン伝導体２１の中に誘導し、イオン的に電荷を中和することができるだけでなく、静電気除去装置２０の破損の際に液の飛散を防止することができる。
固化剤、ゲル化剤および含浸用固体材料としては、形態例１と同じものを用いることができる。
【００３５】
［形態例３］
図３は、容器が非導電性容器であり、その外側が導電性材料で被覆されている場合の静電気除去装置の一例を示す斜視図である。
この静電気除去装置３０は、イオン伝導体３１と、イオン伝導体３１が封入された非導電性容器３２（容器）と、一端が非導電性容器３２の蓋部から外方に伸び、他端が非導電性容器３２の蓋部を貫通してイオン伝導体３１に接触する導体端子３３（導電手段）と、非導電性容器３２の外周壁を覆う導電性材料３４と、導体端子３３と導電性材料３４とを接続する導体３５とを具備して概略構成されるものである。
【００３６】
ここで、イオン伝導体３１としては、形態例１におけるイオン伝導体１１と同じものを用いることができる。
非導電性容器３２としては、例えば、プラスチック製容器などが挙げられる。
導体端子３３および導体３５としては、例えば、銅線などが挙げられる。
導電性材料３４としては、例えば、金属、導電性繊維、導電性プラスチック、メッキされた繊維、メッキされたプラスチックなどが挙げられる。導電性材料３４は、非導電性容器３２の外側全体を覆っていてもよく、非導電性容器３２の外側の一部を覆っていてもよい。
【００３７】
静電気除去装置３０においては、固化剤、ゲル化剤および含浸用固体材料からなる群から選ばれる少なくとも１種が、さらに非導電性容器３２中に封入されていることが好ましい。固化剤、ゲル化剤または含浸用固体材料を加えることにより、発生した静電気をイオン伝導体３１の中に誘導し、イオン的に電荷を中和することができるだけでなく、静電気除去装置３０の破損の際に液の飛散を防止することができる。
固化剤、ゲル化剤および含浸用固体材料としては、形態例１と同じものを用いることができる。
【００３８】
＜静電気の除去方法＞
通常の物体はプラスイオンとマイナスイオンが均衡して電荷が中和された状態にある。しかし、一旦、異なる素材からできた二つの非導電体をこすり合わせると電荷のバランスが崩れ、一方の素材にはプラスイオンが、もう一方の素材にはマイナスイオンが偏在して静電気が蓄積される。例えば、衣服と車のシートがこすれて衣服に一方のイオン電荷が溜まり、手でドアを閉めようとしたときに、これが手に伝わってドアに流れ、イオン電荷が中和される際に刺激を伴った放電が起こる。
【００３９】
本発明の静電気の除去方法は、本発明の静電気除去装置と、静電気発生体または静電気蓄積体とを、直接または導体を介して接触または接続させて、静電気を放電除去する方法であり、静電気発生体または静電気蓄積体である人体または移動体に溜まった静電気を、人体または移動体から本発明の静電気除去装置に流すことにより、放電による不快感を防止することが可能となる。
【００４０】
［形態例１］
図１に示す静電気除去装置１０の場合、導体端子１３に直接手を触れることにより、人体に溜まった静電気が導電性容器１２を介して導電性容器１２内のイオン伝導体１１中に誘導され、イオン的に電荷が中和される。また、移動体等の金属部位と導体端子１３とを直接または導体を介して接触させておくことで、蓄積した静電気が導電性容器１２を介して導電性容器１２内のイオン伝導体１１中に誘導され、イオン的に電荷が中和される。
【００４１】
また、イオン伝導体１１が導電性容器１２に封入されている場合には、導体端子１３は無くてもよい。この場合、導電性容器１２に直接手を触れることにより、人体に溜まった静電気が導電性容器１２内のイオン伝導体１１中に誘導され、イオン的に電荷が中和される。また、移動体等の金属部位と導電性容器１２とを直接または導体を介して接触させておくことで、蓄積した静電気が導電性容器１２内のイオン伝導体１１中に誘導され、イオン的に電荷が中和される。
【００４２】
［形態例２］
図２に示す静電気除去装置２０の場合、導体端子２３に直接手を触れることにより、人体に溜まった静電気が非導電性容器２２内のイオン伝導体２１中に誘導され、イオン的に電荷が中和される。また、移動体等の金属部位と導体端子３３とを直接または導体を介して接触させておくことで、蓄積した静電気が非導電性容器２２内のイオン伝導体２１中に誘導され、イオン的に電荷が中和される。
【００４３】
［形態例３］
図３に示す静電気除去装置３０の場合、導体端子３３または導電性材料３４に直接手を触れることにより、衣服に溜まった静電気が非導電性容器３２内のイオン伝導体３１中に誘導され、イオン的に電荷が中和される。また、移動体等の金属部位と導体端子３３または導電性材料３４とを直接または導体を介して接触させておくことで、蓄積した静電気が非導電性容器３２内のイオン伝導体３１中に誘導され、イオン的に電荷が中和される。
【００４４】
＜自動車関連用品＞
本発明の自動車関連用品は、本発明の静電気除去装置を具備するものである。
自動車関連用品としては、例えば、自動車用鍵、キーホルダなどが挙げられる。
【００４５】
＜装身具＞
本発明の装身具は、本発明の静電気除去装置を具備するものである。
装身具としては、例えば、ヘアーバンド、リストバンド、ブレスレット、ネクタイピン、ブローチ、指輪などが挙げられる。
【００４６】
＜作用＞
以上説明した本発明の静電気除去装置および静電気の除去方法にあっては、イオン導電性化合物を含有するイオン伝導体中に静電気を放電するので、人体や車体などに発生したまたは蓄積した静電気を不快感を伴わずにイオン的に中和することができる。また、イオン導電性化合物を含有するイオン伝導体中に静電気を放電するので、空気中へのコロナ放電とは異なって湿度に影響されにくい。
【００４７】
また、本発明の静電気除去装置は、従来のような半導体やコンデンサ、電池などを組み合わせた複雑な電子回路を必要とせず、小型軽量化することができる。よって、自動車のボディ、ドア、カーシートなどの自動車本体の任意の場所に取り付けることができ、カーシートと導通させる手段を講じて取り付けた場合には、衣服とカーシートとの摩擦によって発生する静電気をその都度放電することになるので、蓄積もしにくくなる。
また、本発明の静電気除去装置を自動車用鍵やキーホルダなどの自動車関連用品に装着すれば、人が鍵を操作するときに、この静電気除去装置と人が常に無意識に接触するようになり、人体に発生した静電気をこの静電気除去装置に誘導し、不快感なく静電気を放電することができる。
【００４８】
また、本発明の静電気除去装置をヘアーバンド、リストバンド、ブレスレット、ネクタイピン、ブローチ、指輪などの装身具に装着すれば、例えば、リストバンドの場合、腕にはめられたリストバンドに装着された静電気除去装置が、直接または導体を介して人肌に接触することにより、人体に発生した静電気を静電気除去装置に誘導し、不快感なく静電気を放電することができる。
【００４９】
なお、本発明の静電気除去装置として形態例１〜３について説明したが、本発明の静電気除去装置はこれら形態例のものに限定はされず、水およびイオン導電性化合物を含有するイオン伝導体と、該イオン伝導体が封入された容器と、該容器の外側とイオン伝導体とを導通させる導電手段とを具備するものであればよい。例えば、容器の形状は、多角柱、多角錐、球などの形状でも可能であり、その形状、大きさには制限はない。
【実施例】
【００５０】
以下、実施例を示して本発明をさらに詳しく説明する。
［実施例１］
（イオン伝導体の調製）
水９９．８ｇに、イオン導電性化合物としてラウリルジメチル−２−ヒドロキシエチルアンモニウムのブチルリン酸エステル塩（商品名：ニッカノンＲＢ、日華化学（株）製）０．２ｇを加え、よく撹拌して溶解させ、イオン伝導体を調製した。これに、ゲル化剤としてアルギン酸ナトリウム３ｇを加えて、イオン伝導体をゲル化させた。
【００５１】
（静電気除去装置の製造）
外径１２ｍｍ、高さ４０ｍｍであり、上部が開口したアルミニウム製の導電性容器に、前記のゲル化したイオン伝導体を３ｇ充填し、長さ２０ｍｍの銅線が接続したアルミニウム製の蓋体を導電性容器の上部に取り付けて、図１に示すような静電気除去装置を得た。
【００５２】
（静電気除去装置の評価）
静電気の除去性を調べるため、箔検電器を用いた。
静電気の蓄積：
まず、静電気が蓄積した状態を作るために以下の操作を行った。毛皮でこすったエボナイト棒を箔検電器に近づけると箔はマイナスに帯電して開く。この状態で箔検電器に手を触れて、マイナスの電気を逃がす。箔は電気を逃がしたので閉じる。この状態でエボナイト棒を箔検電器から遠ざけると、表面に集まったプラスの電気は箔の方に移動し箔は再び開く（プラスの電荷が充満した状態）。
静電気除去試験：
次に、箔が開いた状態の箔検電器に、静電気除去装置の銅線を接触させたのち遠ざけると、箔は閉じ、静電気除去装置を遠ざけても箔は開かないことから、蓄積していた静電気は中和され、完全に除去できた。
【００５３】
静電気放電時の状態を調べるため、次の静電気放電試験を行った。
静電気放電試験：
コップ表面の外周と内周がアルミ箔で覆われたプラスチックのコップを手で持ち、毛皮でこすったエボナイト棒をこのコップに近づけ静電気を溜める。その後、コップを持っていない方の手を自動車の金属部位に接触させると、刺激を伴って静電気を放電した。
同様にして、アルミ箔で覆われたプラスチックのコップを手で持ち、静電気を溜めた後、コップを持っていない方の手で静電気除去装置の導線に触れ、その後自動車の金属部位に触れたが、いずれに触れたときも刺激などの不快感はなかった。
また、一方の手にアルミ箔で覆われたプラスチックのコップを持ち、他方の手は導線に触れた状態で静電気除去装置を持って、上記のような静電気を溜める操作を行った。その後、静電気除去装置を離し、その手で自動車の金属部位に触れたが、刺激などの不快感はなかった。
【００５４】
［実施例２］
（静電気除去装置の製造）
外径１０ｍｍ、高さ３５ｍｍであり、上部が開口したガラス製の非導電性容器に、実施例１で調製したゲル化したイオン伝導体を２．５ｇ充填し、長さ４５ｍｍの銅線が中央を貫通したシリコーンゴム製の蓋体を非導電性容器の上部に取り付けて、図２に示すような静電気除去装置を得た。この静電気除去装置について、実施例１と同様にして静電気除去性を評価したところ、箔に蓄積していた静電気は中和され、完全に除去できた。また、実施例１と同様にして静電気放電試験で評価したところ、刺激などの不快感を伴わずに静電気を放電できた。
【００５５】
［実施例３］
（イオン伝導体の調製）
有機非イオン性化合物であるグリセリン５０ｇに、水を４９．８ｇ、イオン導電性化合物としてブチルリン酸ナトリウムを０．２ｇ加え、よく撹拌して、イオン伝導体を調製した。これに、ゲル化剤としてアガロースを１．５ｇ加えて、イオン伝導体をゲル化させた。
【００５６】
（静電気除去装置の製造）
実施例２で用いたガラス製の非導電性容器に、実施例３で調製したゲル化したイオン伝導体を２ｇ充填し、実施例２で用いた、銅線が中央を貫通したシリコーンゴム製の蓋体を非導電性容器の上部に取り付けて、図２に示すような静電気除去装置を得た。この静電気除去装置について、実施例１と同様にして静電気除去性を評価したところ、箔に蓄積していた静電気は中和され、完全に除去できた。また、実施例１と同様にして静電気放電試験で評価したところ、刺激などの不快感を伴わずに静電気を放電できた。
【産業上の利用可能性】
【００５７】
本発明の静電気除去装置は、イオン導電性化合物を含有するイオン伝導体中に静電気を放電しているので、湿度の影響もなく、また、小型軽量化できる。よって、自動車のボディ、ドア、カーシートなどの自動車本体の任意の場所に取り付けたり、自動車用鍵やキーホルダなどの自動車関連用品、ヘアーバンド、リストバンド、ブレスレット、ネクタイピン、ブローチ、指輪などの装身具に組み込むことが可能である。
【図面の簡単な説明】
【００５８】
【図１】本発明の静電気除去装置の一例を示す斜視図である。
【図２】本発明の静電気除去装置の他の例を示す斜視図である。
【図３】本発明の静電気除去装置の他の例を示す斜視図である。
【符号の説明】
【００５９】
１０  静電気除去装置
１１  イオン伝導体
１２  導電性容器（容器、導電手段）
１３  導体端子（導電手段）
２０  静電気除去装置
２１  イオン伝導体
２２  非導電性容器（容器）
２３  導体端子（導電手段）
３０  静電気除去装置
３１  イオン伝導体
３２  非導電性容器（容器）
３３  導体端子（導電手段）
３４  導電性材料
３５  導体
【図１】
2005332709.tif 000003
【図２】
2005332709.tif 000004
【図３】
2005332709.tif 000005